(57)【要約】【課題】ワゴンサービスモードやメンテナンスモードなどの複数の目的のモードを実行することが可能であり、かつ、簡易なシステム構築が可能な遊技媒体貸出機およびサービス提供システムを提供する。【解決手段】玉貸機１は、遊技場内の従業員が所持するＩＣタグ６１、６２との間で通信して、当該ＩＣタグに保存された識別コードを入手するＩＣタグ通信部３４と、ＩＣタグの識別コードを識別する識別部５３と、複数のモードを実行可能であり、識別部５３で識別されたＩＣタグ６１、６２の識別コードに対応する所定のモードを選択して実行する制御を行うモード制御部５４とを備えている。【選択図】図３
2012071053.tif 000002
【特許請求の範囲】
【請求項１】
遊技場内の従業員が所持するＩＣタグとの間で通信して、当該ＩＣタグに保存された識別コードを入手する通信手段と、
前記ＩＣタグの識別コードを識別する識別手段と、
複数のモードを実行可能であり、前記識別手段で識別された前記ＩＣタグの識別コードに対応する所定のモードを選択して実行する制御を行う制御手段とを備えている、
ことを特徴とする遊技媒体貸出機。
【請求項２】
前記複数のモードのうちの１つは、遊技場内の従業員が遊技者へワゴンサービスを提供するときに当該ワゴンサービスに必要な操作を受け付けるワゴンサービスモードである、
請求項１に記載の遊技媒体貸出機。
【請求項３】
遊技媒体数に関する情報を管理する遊技媒体数情報管理部と、
引き落とす予定の遊技媒体数を入力可能な入力手段と、
前記入力手段に入力された引き落とす予定の遊技媒体数を、前記遊技媒体数情報管理部に管理された前記遊技媒体数に関する情報に対応する遊技媒体数から減らす処理を行う遊技媒体数引落し手段と
をさらに備えており、
前記制御手段によって選択されるモードが、前記ワゴンサービスモードである場合、
前記通信手段は、前記入力手段からの所定のワゴンサービスに対応する遊技媒体数の入力が完了した後にワゴンサービスモード用の前記ＩＣタグと通信し、
前記遊技媒体数引落し手段は、前記識別手段が当該ＩＣタグの識別コードを識別したときに、前記遊技媒体数に関する情報に対応する遊技媒体数から前記入力手段で入力された遊技媒体数を減らして引落し処理を行う、
請求項２記載の遊技媒体貸出機。
【請求項４】
前記ワゴンサービスモードにおけるワゴンサービスに関する情報を、前記遊技媒体貸出機と通信可能に接続された管理装置に送信する送信手段をさらに備えており、
前記送信手段は、前記引落し処理の後に、前記ワゴンサービスに関する情報を、前記管理装置へ送信する、
請求項３記載の遊技媒体貸出機。
【請求項５】
前記制御手段によって選択されるモードが、遊技場内の従業員の認証が必要な操作を含むメンテナンスモードである場合、
前記通信手段は、当該メンテナンスモードの操作を終了後に、メンテナンスモード用の前記ＩＣタグと通信し、
前記制御手段は、前記識別手段が当該ＩＣタグの識別コードを識別したときに、メンテナンスモードを解除する、
請求項１から４のいずれかに記載の遊技媒体貸出機。
【請求項６】
請求項１から５のいずれかの記載の遊技媒体貸出機と、
前記遊技媒体貸出機に実行させる所定のモードにそれぞれ対応する識別コードを記憶する複数のＩＣタグと、
を備えているサービス提供システム。
【請求項７】
請求項４に記載の遊技媒体貸出機を複数備えるとともに、
それぞれの前記遊技媒体貸出機に実行させる所定のモードにそれぞれ対応する識別コードを記憶する複数のＩＣタグと、
それぞれの前記遊技媒体貸出機の送信手段からワゴンサービスに関する情報を受信し、当該ワゴンサービスに関する情報を管理する管理装置と
を備えているサービス提供システム。
【発明の詳細な説明】
【技術分野】
【０００１】
本発明は、遊技媒体貸出機およびそれを用いたサービス提供システムに関する。
【背景技術】
【０００２】
従来のパチンコ遊技機やパチスロ遊技機等が設置された遊技場では、遊技場内を従業員が巡回して遊戯中の遊技客に対して、パチンコ玉やメダル等の遊技媒体をコーヒーやタバコ等の景品と交換するいわゆるワゴンサービスを提供している所がある。
【０００３】
そのようなワゴンサービスを行うために、例えば特許文献１記載のワゴンサービス提供システムは、玉貸機に接続された管理装置（ホストコンピュータ）と、ワゴンサービスを行う従業員が保有する注文入力装置とを備えている。ワゴンサービスを提供するときには、注文入力装置が管理装置との間で直接通信することにより、遊技客が使用している玉貸機における持ち玉数情報からワゴンサービスで提供される景品に対応する玉数情報を引き落とす処理を管理装置で行っている。
【先行技術文献】
【特許文献】
【０００４】
【特許文献１】特許第４０１８１７１号公報
【発明の概要】
【発明が解決しようとする課題】
【０００５】
従来のワゴンサービス提供システムは、入力された注文に応じた情報の送受信をするのみであり、他の目的で使用できない。このため、ワゴンサービス以外の複数の目的のモードを実行するためには、管理装置と通信するための通信端末とは別系統のシステムを構築する必要があり、システム全体が複雑になるとともに、ワゴンサービスモード以外のモードへの切換えを容易に行うことが困難になっている。したがって、従来のワゴンサービス提供システムにおいて、ワゴンサービスモード以外のモード、例えば、従業員の認証が必要な玉貸機の操作を行うためのいわゆるメンテナンスモードその他のモードを行おうとするには、ＩＣタグおよび当該ＩＣタグと通信するために玉貸機に設けられた通信手段などが、前記通信端末とは別に必要になる。
【０００６】
本発明は、上記のような事情に鑑みてなされたものであり、複数の目的のモードを実行することが可能であり、かつ、簡易なシステム構築が可能な遊技媒体貸出機およびサービス提供システムを提供することを目的とする。
【課題を解決するための手段】
【０００７】
上記課題を解決するためのものとして、本発明の遊技媒体貸出機は、遊技場内の従業員が所持するＩＣタグとの間で通信して、当該ＩＣタグに保存された識別コードを入手する通信手段と、前記ＩＣタグの識別コードを識別する識別手段と、複数のモードを実行可能であり、前記識別手段で識別された前記ＩＣタグの識別コードに対応する所定のモードを選択して実行する制御を行う制御手段を備えていることを特徴とするものである。
【０００８】
この構成によれば、遊技場内の従業員が遊技媒体貸出機に対して複数のモードからあるモードを選択して実行させたいときには、従業員が所持する所定のモードに対応するＩＣタグを通信手段に通信可能な距離まで近づければよい。このとき、通信手段はＩＣタグに保存された識別コードを入手することにより、制御手段は複数のモードから識別手段で識別された識別コードに対応するモードを選択して遊技媒体貸出機がそのモードで実行するように制御することができる。これにより、複数のモードを実行可能な簡易なシステムを構築することが可能になる。しかも、所定のモードに対応するＩＣタグを通信手段と通信させることにより、モードの切換えを容易に行うことが可能になる。
【０００９】
なお、本発明でいう「遊技場内の従業員」とは、遊技場内のワゴンサービスを行うスタッフ、遊技場内のホールスタッフ、または遊技場の管理を行う管理者などを含む広い概念である。
【００１０】
また、前記複数のモードのうちの１つは、遊技場内の従業員が遊技者へワゴンサービスを提供するときに当該ワゴンサービスに必要な操作を受け付けるワゴンサービスモードであるのが好ましい。この場合、従業員が遊技媒体貸出機に対してワゴンサービスモードを選択して実行させたいときには、従業員がワゴンサービスモード用のＩＣタグを通信手段に通信可能な距離まで近づければよい。このとき、通信手段が当該ワゴンサービスモード用のＩＣタグに保存された識別コードを入手することにより、制御手段は複数のモードから識別手段で識別された識別コードに対応するワゴンサービスモードを選択し遊技媒体貸出機がワゴンサービスモードで実行するように制御することができる。また、同様に、その他のモード用のＩＣタグを通信手段に近づけたときには、制御手段はそのモードを選択して実行を制御することができる。これにより、ワゴンサービスモードを含む複数のモードを実行可能な簡易なシステムを構築することが可能になり、しかも、所定のモードに対応するＩＣタグを通信手段と通信させることにより、モードの切換えを容易に行うことが可能になる。
【００１１】
また、遊技媒体数に関する情報を管理する遊技媒体数情報管理部と、引き落とす予定の遊技媒体数を入力可能な入力手段と、前記入力手段に入力された引き落とす予定の遊技媒体数を、前記遊技媒体数情報管理部に管理された前記遊技媒体数に関する情報に対応する遊技媒体数から減らす処理を行う遊技媒体数引落し手段とをさらに備えており、前記制御手段によって選択されるモードが、前記ワゴンサービスモードである場合、前記通信手段は、前記入力手段からの所定のワゴンサービスに対応する遊技媒体数の入力が完了した後にワゴンサービスモード用の前記ＩＣタグと通信し、前記遊技媒体数引落し手段は、前記識別手段が当該ＩＣタグの識別コードを識別したときに、前記遊技媒体数に関する情報から前記入力手段で入力された遊技媒体数を減らして引落し処理を行うのが好ましい。
【００１２】
この構成によれば、制御手段がワゴンサービスモードを選択している場合に、遊技者は、入力手段から購入を希望する所定のワゴンサービスに対応する遊技媒体数を入力することができる。例えば、ワゴンサービスで提供されるコーヒーやタバコなどに対応する遊技媒体数をそれぞれ入力手段から入力すればよい。そして、遊技媒体数の入力がすべて完了した後に、ワゴンサービスモード用のＩＣタグを通信手段に近づけて通信して、識別手段が当該ＩＣタグの識別コードを識別したとき、遊技媒体数引落し手段は、遊技媒体数に関する情報から入力手段で入力された遊技媒体数を減らして引落し処理を行う。これにより、遊技媒体数情報管理部に管理された遊技媒体数に関する情報に対応する遊技媒体数からワゴンサービスで使用した遊技媒体数を引き落とす処理を、ワゴンサービス用ＩＣタグを通信手段と通信させるだけで一括して行うことができるので、引落し処理を簡易かつ確実に行うことができる。
【００１３】
さらに、前記ワゴンサービスモードにおけるワゴンサービスに関する情報を、前記遊技媒体貸出機と通信可能に接続された管理装置に送信する送信手段をさらに備えており、前記送信手段は、前記引落し処理の後に、前記ワゴンサービスに関する情報を、前記管理装置へ送信するのが好ましい。
【００１４】
この構成よれば、ワゴンサービスモードにおけるワゴンサービスに関する情報は、引落し処理後に送信手段によって遊技媒体貸出機から管理装置へ送信される。これにより、ワゴンサービスにおけるワゴンサービスに関する情報を管理装置へ送信する動作を一括して行うことができるので、ワゴンサービスに関する情報の送信を短時間で確実に行うことができる。
【００１５】
さらに、前記制御手段によって選択されるモードが、遊技場内の従業員の認証が必要な操作を含むメンテナンスモードである場合、前記通信手段は、当該メンテナンスモードの操作を終了後に、メンテナンスモード用の前記ＩＣタグと通信し、前記制御手段は、前記識別手段が当該ＩＣタグの識別コードを識別したときに、メンテナンスモードを解除する、のが好ましい。
【００１６】
この構成よれば、制御手段がワゴンサービスモード以外のモードとして、遊技場内の従業員の認証が必要な操作を含むメンテナンスモードを選択している場合に、メンテナンスモード用のＩＣタグを用いてモード切り換えを容易に行うことができる。例えば、メンテナンスモード用のＩＣタグを通信手段に通信可能な距離まで近づけたときに、通信手段が当該メンテナンスモード用のＩＣタグに保存された識別コードを入手することにより、制御手段は複数のモードから識別手段で識別された識別コードに対応するメンテナンスモードを選択して実行を制御することができる。そして、メンテナンスモードの操作を終了後に通信手段がメンテナンスモード用のＩＣタグと通信して、識別手段が識別コードを識別したときに、制御手段によってメンテナンスモードが解除されて、通常動作に復帰することができる。
【００１７】
本発明のサービス提供システムは、前記遊技媒体貸出機と、前記遊技媒体貸出機に実行させる所定のモードにそれぞれ対応する識別コードを記憶する複数のＩＣタグと、を備えていることを特徴としている。
【００１８】
この構成よれば、遊技媒体貸出機に実行させる所定のモードにそれぞれ対応する識別コードを記憶する複数のＩＣタグがあり、遊技場の従業員は、目的に応じて所定のモード用のＩＣタグを少なくとも１個所持することができる。従業員が遊技媒体貸出機に対して複数のモードからあるモードを選択して実行させたいときには、従業員が所持する所定のモードに対応するＩＣタグを通信手段に通信可能な距離まで近づければよい。このとき、通信手段はＩＣタグに保存された識別コードを入手することにより、制御手段は複数のモードから識別手段で識別された識別コードに対応するモードを選択して遊技媒体貸出機がそのモードで実行するように制御することができる。これにより、複数のモードを実行可能な簡易なシステムを構築することが可能になる。しかも、所定のモードに対応するＩＣタグを通信手段と通信させることにより、モードの切換えを容易に行うことが可能になる。
【００１９】
本発明のサービス提供システムは、前記遊技媒体貸出機を複数備えるとともに、それぞれの前記遊技媒体貸出機に実行させる所定のモードにそれぞれ対応するコードを記憶する複数のＩＣタグと、それぞれの前記遊技媒体貸出機の送信手段からワゴンサービスに関する情報を受信し、当該ワゴンサービスに関する情報を管理する管理装置とを備えていることを特徴としている。
【００２０】
この構成よれば、ワゴンサービスモードを実行可能な遊技媒体貸出機を含むシステムにおいて、ワゴンサービスモードを含む複数のモードを実行可能な簡易なシステムを構築することが可能になり、しかも、所定のモードに対応するＩＣタグを通信手段と通信させることにより、モードの切換えを容易に行うことが可能になる。また、それぞれの遊技媒体貸出機において実行されたワゴンサービスモードにおけるワゴンサービスに関する情報は、引落し処理後に送信手段によって遊技媒体貸出機から管理装置へ送信され、ワゴンサービスに関する情報を管理装置へ送信する動作を一括して行うことができるので、ワゴンサービスに関する情報の送信を短時間で確実に行うことができる。さらに、遊技媒体貸出機と通信可能に接続された管理装置において、複数の遊技媒体貸出機のワゴンサービスに関する情報を一括して管理することができる。
【００２１】
なお、ワゴンサービス用のＩＣタグは、複数の従業員に配布されて用いられるので、各ＩＣタグにはそれぞれ固有のシリアル番号が付与されるのが好ましい。
【発明の効果】
【００２２】
以上説明したように、本発明の遊技媒体貸出機およびサービス提供システムによれば、複数のモードを実行可能な簡易なシステムを構築することができる。しかも、所定のモードに対応するＩＣタグを通信手段と通信させることにより、モードの切換えを容易に行うことができる。
【図面の簡単な説明】
【００２３】
【図１】本発明の実施形態に係わるサービス提供システムの全体構成図である。
【図２】図１の玉貸機の斜視図である。
【図３】図１の玉貸機の回路構成を示すブロック図である。
【図４】図１の玉貸機のモード選択プログラムのフローチャートである。
【図５】図１の玉貸機のワゴンサービスモードを実行するためのプログラムのフローチャートである。
【図６】図２の玉貸機の下半分の拡大正面図であり、ＩＣタグタッチ部分にワゴンサービス用のＩＣタグを近づけた状態を示す図である。
【図７】図２の玉貸機の入力キーおよび表示パネル付近の拡大正面図である。
【図８】図２の玉貸機のワゴンサービスモードにおける表示パネルの表示例を示す拡大正面図である。
【図９】（ａ）〜（ｄ）は、図２の玉貸機のワゴンサービスモードにおける表示パネルの表示の変化の様子を示す拡大正面図である。
【図１０】図１の玉貸機のメンテナンスモードを実行するためのプログラムのフローチャートである。
【図１１】図２の玉貸機におけるＩＣタグタッチ部分にメンテナンス用のＩＣタグを近づけた状態を示す図である。
【図１２】図２の玉貸機に内蔵されたビジターカード収納機構の断面図である。
【図１３】図１２のビジターカード収納機構におけるカード収納動作を示す断面図である。
【図１４】（ａ）〜（ｂ）は図１２のビジターカード収納機構におけるカード繰出動作を示す断面図である。
【図１５】図１２のビジターカード収納機構におけるカード繰出動作を示す断面図である。
【発明を実施するための形態】
【００２４】
図１に示されるように、本発明の遊技媒体貸出機およびそれを用いたサービス提供システムの一実施形態に係わる玉貸機１を含むサービス提供システム１００は、以下のように構成されている。
【００２５】
図１に示されるサービス提供システム１００は、複数の玉貸機１と、管理装置２と、複数の島端ボックス３と、複数の管理パーソナルコンピュータ（以下、管理ＰＣという）４と、カードリーダライタ（以下、カードＲＷという）５とを備えている。さらにこのシステムは、その他の構成要素として、少なくとも１台の精算機６と、複数のメダル貸機７と、複数のＩＣタグ６１、６２とを備えている。
【００２６】
複数の玉貸機１は、遊技場内に島状に横に並べられた複数のパチンコ遊技機の間にそれぞれ配置されている。それぞれの玉貸機１は、パチンコ遊技機の島の端部に設けられた島端ボックス３を経由して管理装置２に接続されている。玉貸機１の売上げ情報や玉数情報等の情報は、管理装置２へ送信される。
【００２７】
遊技場内の全ての玉貸機１およびメダル貸機７の売上げ情報は、中継機（図示せず）を経由して、遊技場外部のホールコンピュータシステム１２へ送信され、遊技場の管理外の場所で管理される。管理装置２は、遊技場の内部の場所に設置される。また、管理装置２は、会員登録した遊技者の会員カードに預金された金額の情報を記憶する預金記憶部２ａと、当該会員カードに記憶された持玉情報を記憶する持玉記憶部２ｂとを有する。
【００２８】
管理ＰＣ４は、遊技場の店舗内において管理装置２で処理されるメニューや各種情報の表示、認定を行うことができるコンピュータである。
【００２９】
ワゴンサービス用のＩＣタグ６１は、玉貸機１のワゴンサービスモードに対応する識別コードを記憶している。また、メンテナンスモード用のＩＣタグ６２は、玉貸機１のメンテナンスモードに対応する識別コードを記憶している。
【００３０】
また、管理装置２には、島端ボックス３に接続する通信線とは別系統のＬＡＮで、サンドゲートウェイ８と、店舗用サーバ（以下、店ＳＶという）９と、事務所用パーソナルコンピュータ（以下、事務所ＰＣという）１０とが接続されている。店ＳＶ９は、貯玉記憶部９ａと、レシート記憶部９ｂとを有する。
【００３１】
さらに、管理装置２には、さらに別系統のＬＡＮで、ＰＯＳアダプタ１１と、ホールコンピュータシステム（以下、ホールコンシステムという）１２とが接続されている。ＰＯＳアダプタ１１は、持玉回収およびカード回収のために用いられる。
【００３２】
なお、メダル貸機７についても、上記の玉貸機１と同様に、サービス提供システム内での売上げ情報やメダル枚数情報等の情報が管理装置２によって管理される。
【００３３】
つぎに、図２〜３を参照して、玉貸機１の構成について説明する。
【００３４】
図２に示される玉貸機１は、隣接するパチンコ遊技機の間の狭い空間に設置された、パチンコ遊技用の遊技媒体である玉を貸し出す機械であり、いわゆるサンドと呼ばれるものである。この玉貸機１の前面には、主として、紙幣挿入口２１、払出ボタン２２、表示パネル３７、入力キー３３、玉払出しノズル２３、カード挿入口２４、およびＩＣタグタッチ部分２５が設けられている。さらに、玉貸機１の前面の下端付近には、計数皿２６が着脱自在に接続されている。さらに、玉貸機１の前面には、ランプ群として、状態表示ランプ３９、入金可ランプ４０、カード状態表示ランプ４１が設けられている。
【００３５】
計数皿２６は、パチンコ遊技機から排出されるパチンコ玉を受け取る皿である。計測皿２６に受け取られたパチンコ玉は、玉回収装置（図示せず）へ戻されるときに、後述の計数部３５で玉数が計測される。
【００３６】
玉貸機１の回路構成は、図３に示されるようになっている。まず、玉貸機１は、入力部として、カードリーダライタ（以下、カードＲＷという）３１と、紙幣読取部３２と、入力キー３３と、ＩＣタグ通信部３４と、計数部３５とを備えており、これらが玉貸機１全体の動作を制御する制御コンピュータ５０に接続されている。
【００３７】
また、玉貸機１は、出力部として、玉払出部３６と、表示パネル３７と、送信部３８と、状態表示ランプ３９と、入金可ランプ４０と、カード状態表示ランプ４１とを備えている。
【００３８】
カードＲＷ３１は、カード挿入口２４から挿入された会員カード６３またはビジターカード６４（図１１参照）に記憶された遊技媒体の遊技価値や遊技度数の一態様である持ち玉情報を読み取ったり、これらのカードに持ち玉情報を書き込んだりする。また、カードＲＷ３１は、会員カード６３から会員識別コードや預金情報を読み取る。カードＲＷ３１で読み取られた情報は、制御コンピュータ５０へ送信される。また、カードＲＷ３１は、制御コンピュータ５０で生成された更新後の持ち玉情報を会員カード６３またはビジターカード６４へ書き込むことが可能である。
【００３９】
紙幣読取部３２は、紙幣挿入口２１から挿入される紙幣を読み取り、読み取った紙幣に対応する金額に関する金額情報を制御コンピュータ５０へ送信する。
【００４０】
入力キー３３は、払い出したい玉数の入力や会員番号の暗証番号の入力などに用いられる。さらに、本実施形態の入力キー３３は、後述するワゴンサービスモードやメンテナンスモードを実行する際の操作キーとして使用される。例えば、ワゴンサービスでサービスの提供を受けるときに、その景品に対応する遊技媒体数である玉数を入力するために入力キー３３が押し操作される。また、入力キー３３は、メンテナンスモードにおいて、従業員がメンテナンス動作のための所定の操作を行うときにも操作される。
【００４１】
図７に示される入力キー３３は、０〜９までの数字を入力するテンキー３７と、キー入力を確定するための確定キー３３ｂと、キー入力を取り消す取消キー３３ｃと、玉の払出し動作を開始するための払出キー３３ｄとから構成されている。
【００４２】
ＩＣタグ通信部３４は、玉貸機１の前面に設けられたＩＣタグタッチ部分２５を備えており、ＩＣタグタッチ部分２５に接触または近づけられたワゴンサービス用ＩＣタグ６１（図６参照）またはメンテナンスモード用ＩＣタグ６２（図１１参照）と通信して、それらのＩＣタグ６１、６２に保存された識別コードを入手する。入手された識別コードに関する情報は、制御コンピュータ５０へ送信される。
【００４３】
計数部３５は、計数皿２６内部のパチンコ玉が玉回収装置へ戻るときにパチンコ玉の玉数を計測する。計測された玉数情報は、制御コンピュータ５０に送られる。また、計数部３５は、持ち玉数表示部３５ａを備えている。持ち玉数表示部３５ａは、現在の持ち玉数を表示する。
【００４４】
玉払出部３６は、入力キー３３により入力された払い出し希望の玉数に応じて、現在の持ち玉数の範囲内で、玉払出ノズル２３を介してパチンコ玉の払い出しを行う。
【００４５】
表示パネル３７は、図７に示されるように、数字または英文字等を表示できる複数ケタの表示を行うことができる２段の表示部、すなわち、上段表示部３７ａおよび下段表示部３７ｂを有する。上段表示部３７ａは、通常の動作では、玉貸機１または会員カードに残る預金情報に対応する残高金額を表示する。また、下段表示部３７ｂは、通常の動作では、玉貸機１または会員カードに残る持ち玉情報に対応する貯玉数を表示する。また、後述するワゴンサービスモードおよびメンテナンスモードの時には、表示パネル３７はそれらのモードに応じた種々の表示を行う。
【００４６】
送信部３８は、管理装置２へ玉貸機１の売上げ情報を送信する。また、玉貸機１のカード挿入口２４に会員カードが挿入されたときには、送信部３８は、会員カードの識別コードを管理装置２へ送信する。管理装置２は、識別コードごとに個々の会員の持ち玉や預金の等の情報を管理する。
【００４７】
状態表示ランプ３９は、玉貸機１の動作状態を示すために種々の表示を行う。例えば、玉貸機１がメンテナンスモードへ移行したときには、状態表示ランプ３９は赤緑青の三色を繰り返して表示する。これに合わせて、入力キー３３も点滅するようにしてもよい。
【００４８】
入金可ランプ４０は、玉貸機１の紙幣挿入口２１へ入金可能な状態か否かを知らせるためのランプである。
【００４９】
カード状態表示ランプ４１は、玉貸機１のカード挿入口２４から会員カード６３やビジターカード６４が挿入されていることを知らせるためのランプである。
【００５０】
制御コンピュータ５０は、玉貸機１の全体の動作を制御するコンピュータである。具体的には、制御コンピュータ５０は、持玉管理部５１と、持玉引落部５２と、識別部５３と、サービスモード制御部５４と、メンテナンスモード制御部５５とを備えている。
【００５１】
持玉管理部５１は、玉貸機１内部の持ち玉情報を管理する。持玉管理部５１では、紙幣読取部３２から送信された金額情報に応じて持ち玉を増やすように、持ち玉情報を変更させる。
【００５２】
持玉引落部５２は、玉払出部３６によって玉の払い出しをするとき、またはワゴンサービスモードにおいて景品を購入するときに、持玉管理部５１の持ち玉情報から持ち玉数を引き落とす処理を行う。
【００５３】
識別部５３は、ＩＣタグ通信部３４によって入手されたＩＣタグ６１、６２の識別コードを識別する。
【００５４】
モード制御部５４は、複数のモードを実行可能であり、識別部５３で識別されたＩＣタグの識別コードに対応する所定のモードを選択して実行する制御を行う。モード制御部５４は、モード選択部５５ａと、モード実行部５５ｂとを備えている。モード選択部５５ａは、識別部５３で識別されたＩＣタグの識別コードに対応するモードを複数のモードの中から選択するものである。本実施形態のモード選択部５５ａは、後述するワゴンサービスモードまたはメンテナンスモードのいずれか１つを選択する。モード実行部５５ｂは、モード選択部５５ａによって選択された当該ワゴンサービスモードまたはメンテナンスモードを実行するように玉貸機１を制御する。
【００５５】
つぎに、図４のフローチャートを参照しながら、本実施形態の玉貸機１におけるワゴンサービスモードおよびメンテナンスモードの中から二者択一でモード選択を行うモード選択の手順を説明する。
【００５６】
まず、ステップＳ１において、遊技場の従業員が保有するＩＣタグ６１、６２を玉貸機１の前面のＩＣタグタッチ部分２５に接触または近づけ、ＩＣタグ通信部３４はＩＣタグに保存された識別コードを読み取る。
【００５７】
ついで、制御コンピュータ５０において、識別部５３はＩＣタグ通信部３４によって読み取られた識別コードを識別し、そして、モード制御部５４のモード選択部５５ａは当該識別コードに対応するモードをワゴンサービスモードまたはメンテナンスモードのうちのいずれか１つから選択する。
【００５８】
具体的には、まず、ステップＳ２において、識別部５３は、その識別コードがワゴンサービスモードに対応するコードであるか判別する。ワゴンサービスモードに対応するコードであれば、ステップＳ４において、モード制御部５４では、モード選択部５５ａがワゴンサービスモードを選択し、モード実行部５５ｂがワゴンサービスモードを実行するように玉貸機１を制御する。
【００５９】
その識別コードがワゴンサービスモードに対応するコードでなければ、ステップＳ３において、識別部５３は、その識別コードがメンテナンスモードに対応するコードであるか判別する。メンテナンスモードに対応するコードであれば、ステップＳ５において、モード制御部５４は、メンテナンスモードを選択してメンテナンスモードを実行するように玉貸機１を制御する。
【００６０】
さらに、その識別コードがメンテナンスモードに対応するコードでない場合には、ステップＳ１に戻り、上記のステップＳ１〜Ｓ３を繰り返す。
【００６１】
このようなモード切換えの制御を行うことにより、ワゴンサービスモードを含む複数のモードを実行可能な簡易なシステムを構築することが可能になり、しかも、所定のモードに対応するＩＣタグ６１、６２を通信手段と通信させることにより、所定のモードの設定を容易に行うことが可能になる。
【００６２】
（ワゴンサービスモードの説明）
つぎに、図５のフローチャートを参照しながら、本実施形態の玉貸機１におけるワゴンサービスモードの手順を説明する。ここで、本発明のワゴンサービスモードとは、遊技場内の従業員が遊技者へワゴンサービスを提供するときに当該ワゴンサービスに必要な操作を受け付ける玉貸機１の動作モードを意味する。
【００６３】
まず、ワゴンサービスを行う従業員は、サービス対象品を載せたワゴンとともに、遊技場内を巡回している。遊技者はワゴンサービスを受けたいとき（例えば、ホットコーヒーなどが欲しいとき）には、従業員を呼び止めてワゴンサービスを受けたい旨の申告をする。
【００６４】
このとき、ワゴンサービスを行う従業員は、図６に示されるように、当該従業員が保有するワゴンサービス用ＩＣタグ６１を、遊技者の持ち玉情報が管理されている玉貸機１の前面のＩＣタグタッチ場所２５にタッチすれば、その玉貸機１は、上述の図４のフローチャートにしたがってワゴンサービスモードに移行される。
【００６５】
ワゴンサービスモードでは、図５に示されるように、まず、ステップＳ１１において、遊技者は、入力キー３３のテンキー３３ａからワゴンサービスで提供を受けたいサービスに対応する玉数を入力する。例えば、ホットコーヒーを注文したいときには、遊技者は、ホットコーヒーに対応する玉数（例えば、１００個）をテンキー３３ａを使用して「１００」と入力する。このとき、図８に示されるように、表示パネル３７の上段表示部３７ａには、「１００」が表示される。
【００６６】
テンキー３３ａの入力後、ステップＳ１２において、遊技者は、入力キー３３の確定キー３３ｂによって確定信号を入力する。このとき、確定キー３３ｂによる入力によって、図９（ａ）に示される表示パネル３７の上段表示部３７ａに「１００」が表示された状態から、図９（ｂ）に示される下段表示部３７ｂに「１００」が表示された状態に移行する。
【００６７】
つぎに、制御コンピュータ５０は、ステップＳ１３において、ワゴンサービス用ＩＣタグ６１がタッチされるまで、テンキー３３ａの追加入力を待ち続ける。このとき、景品をさらに購入したいときには、さらにテンキー３３ａによって追加入力をして、確定キー３３ｂによる入力をする。
【００６８】
例えば、手作りクッキーをさらに追加注文したいときには、手作りクッキーに対応する玉数（例えば、２００個）をテンキー３３ａを使用して「２００」と追加入力する。このとき、図９（ｃ）に示されるように、表示パネル３７の下段表示部３７ｂには前回の入力された「１００」の表示が残った状態で、上段表示部３７ａには「２００」が表示される。そして、確定キー３３ｂによって確定信号を入力することによって、図９（ｄ）に示されるように、下段表示部３７ｂは合計玉数が３００個になったことを示すために「３００」が表示された状態に移行する。
【００６９】
なお、合計玉数が玉貸機１内部の現在の持ち玉数を超える場合には、テンキー３３ａから玉数を入力して確定キー３３ｂを押しても、入力がキャンセルされるようにする。
【００７０】
ついで、ステップＳ１４において、従業員は、遊技客に購入したい景品をすべて注文したことを確認した後、ワゴンサービス用ＩＣタグ６１をＩＣタグタッチ場所２５にタッチする。
【００７１】
そして、ステップＳ１５において、制御コンピュータ５０の持玉引落部５２は、持玉管理部５１で管理されている持ち玉情報に対応する持ち玉数からテンキー３３ａで入力した玉数の総数（例えば、図９（ｄ）の例では３００個）を引き落とす。
【００７２】
その後、ステップＳ１６において、制御コンピュータ５０は、送信部３８に対して、ワゴンサービスに関する情報（例えば、引き落とし後の売り上げ情報など）を管理装置２へ送信させるように制御する。引き落とし処理後の持ち玉数は、持ち玉数表示部３５ａに表示される。
【００７３】
なお、最後の確定キー３３ｂによる入力から一定時間経過しても、ワゴンサービス用ＩＣタグ６１をＩＣタグタッチ場所２５にタッチしなかった場合は、制御コンピュータ５０は、ワゴンサービスモードを強制終了するように制御する。
【００７４】
また、ワゴンサービスモードの履歴等に関するワゴンサービスに関する情報（ワゴン情報）は、遊技場内の管理装置２において管理される。このワゴン情報には、例えば、ワゴンサービスの使用時刻、玉貸機１の台番号、玉貸機１の設置してあるフロアのフロア番号、玉貸機１の設置してある遊技島の島番号、ワゴンサービス用ＩＣタグ６１のシリアル番号などが含まれる。なお、ワゴンサービス用ＩＣタグ６１は、複数の従業員に配布されて用いられるので、各ＩＣタグ６１にはそれぞれ固有のシリアル番号が付与される。
【００７５】
また、管理ＰＣ４は、日計ワゴン情報や月計ワゴン情報を表示や印刷することができる。例えば、管理ＰＣ４は、管理装置２に保存されるワゴン情報から、遊技場の当日（開店から現時点まで）または指定した日付における遊技場内全体のワゴンサービスの集計データ、および玉貸機１ごとのワゴンサービスデータを、管理ＰＣ４のモニタ画面上に表示したり、付属のプリンタで印刷を行う。
【００７６】
（メンテナンスモードの説明）
つぎに、図１０のフローチャートを参照しながら、本実施形態の玉貸機１におけるメンテナンスモードの手順を説明する。
【００７７】
ここで、本発明のメンテナンスモードとは、従業員の認証が必要な操作を含む遊技媒体貸出機の動作モードを意味する。例えば、本実施形態におけるメンテナンスモードには、玉貸機１の種々の動作モードが含まれ、後述される休憩モードの開始、休憩モードの終了、入金履歴表示、カード強制返却、およびビジターカード補充などの動作モードが含まれる。
【００７８】
まず、遊技場内の従業員のうち、ホールスタッフを担当する少なくとも１人の従業員は、玉貸機１の操作のうち当該従業員の認証が必要な操作を含むメンテナンスモードへ玉貸機１を移行させるために、メンテナンスモード用ＩＣタグ６２を所持している。従業員は、図１１に示されるように、遊技者からの店内呼び出しなどに応じて、メンテナンスモード用ＩＣタグ６２を所定の玉貸機１の前面のＩＣタグタッチ場所２５にタッチすれば、その玉貸機１は、上述の図４のフローチャートにしたがってメンテナンスモードに移行される。
【００７９】
本実施形態のメンテナンスモードでは、図１０に示されるように、まず、ステップＳ２１において、制御コンピュータ５０は、玉貸機１をビジターカードの補充可能な状態にする。これにより、ビジターカードの補充を随時受け付けることができる。また、表示パネル３７には、玉貸機１内部に収容されているビジターカード６４の枚数が表示される。
【００８０】
ついで、ステップＳ２２において、従業員は、メンテナンスモードのうち実行したい動作モードを選択するために、入力キー３３による入力を行う。例えば、テンキー３３ａから実行したい動作モードに対応する番号を入力する。
【００８１】
ついで、ステップＳ２３において、入力キー３３による入力に対応する動作モードが選択される。例えば、テンキー３３ａから実行したい動作モード、例えば、休憩モード開始や入金履歴表示などに対応する番号が入力されたときには、休憩モード開始や入金履歴表示が選択される。また、休憩モード中に取消キー３３ｂ押されたときは、休憩モード終了が選択される。また、払出キー３３ｄが押されたときは、カード強制返却が選択される。なお、入力キー３３による入力がないときには、ビジターカード補充が選択される。
【００８２】
そののち、ステップＳ２４〜Ｓ２８のいずれかの動作モードを実行する。
【００８３】
上記のステップＳ２４〜Ｓ２８のいずれかの動作モードを実行した後に、ステップＳ３０において、従業員がメンテナンスモード用ＩＣタグ６２を玉貸機１の前面のＩＣタグタッチ部分２５に接触または近づけると、ＩＣタグ通信部３４はＩＣタグに保存された識別コードを読み取る。
【００８４】
ついで、制御コンピュータ５０の識別部５３では、ＩＣタグ通信部３４によって読み取られた識別コードがメンテナンスモードに対応するコードであると判別したときには、制御コンピュータ５０は、玉貸機１のメンテナンスモードを終了させて、玉貸機１を通常動作に復帰させる。一方、メンテナンスモードに対応するコードでないときには、ステップＳ２２に戻り、入力キー３３による入力待ちの状態になる。
【００８５】
つぎに、メンテナンスモードの各動作モードの具体例についてそれぞれ説明する。
＜休憩モード開始＞
休憩モード開始の動作モードは、遊技客が休憩などで席を長時間離れる場合に、玉貸機１をロックして第三者が玉貸機１の操作をできないようにする動作モードである。このとき、ロックされる内容は、紙幣入金、カード挿入および入力キー３３の操作などの動作である。
【００８６】
まず、休憩モード開始を行う従業員は、図１１に示されるように、当該従業員が保有するメンテナンスモード用ＩＣタグ６２を、遊技者の持ち玉情報が管理されている玉貸機１の前面のＩＣタグタッチ場所２５にタッチすれば、その玉貸機１は、上述の図４のフローチャートにしたがってメンテナンスモードに移行される。
【００８７】
ついで、従業員が、テンキー３３ａで休憩モード開始の動作モードに対応する番号として、例えば「０４」を入力し、確定キー３３ｂを押す。このとき、遊技場の管理ＰＣ４によってあらかじめ設定された所定の休憩時間（例えば６０分）が表示パネル３７に表示され、１分ごとにカウントダウンされて表示される。所定の休憩時間を超えたときには、マイナス表示でカウントダウンが続けられる。
＜休憩モード終了＞
上記の休憩モードを終了するときには、従業員は、まず、メンテナンスモード用ＩＣタグ６２をＩＣタグタッチ場所２５にタッチして、玉貸機１をメンテナンスモードに移行させる。
【００８８】
その後、入力キー３３の取消キー３３ｃを押すことにより、休憩モード終了の動作を実行する。これにより、休憩モードが終了して、休憩モード時の玉貸機１のロックを解除する。
【００８９】
最後に、もう一度、メンテナンスモード用ＩＣタグ６２をＩＣタグタッチ場所２５にタッチすれば、メンテナンスモードを終了することができる。
＜入金履歴表示＞
入金履歴表示の動作モードは、玉貸機１に最後に入金された金額を表示するモードである。これは、遊技者が玉貸機１に入金するときに生じるトラブルを低減するためである。
【００９０】
入金履歴表示を行う従業員は、まず、図１１に示されるように、当該従業員が保有するメンテナンスモード用ＩＣタグ６２を、遊技者が紙幣を挿入した玉貸機１の前面のＩＣタグタッチ場所２５にタッチすれば、その玉貸機１は、上述の図４のフローチャートにしたがってメンテナンスモードに移行される。
【００９１】
ついで、従業員が、テンキー３３ａでの動作モードに対応する番号として例えば「０５」を入力し、確定キー３３ｂを押す。このとき、表示パネル３７には、玉貸機１に最後に入金された金額（例えば、１００００円）が表示される。
【００９２】
最後に、もう一度、メンテナンスモード用ＩＣタグ６２をＩＣタグタッチ場所２５にタッチすれば、メンテナンスモードを終了することができる。
＜カード強制返却＞
図１１に示されるように、玉貸機１のカード挿入口２４には、会員カード６３およびビジターカード６４を挿入して、玉の貸し出しを行うことができる。ここで、遊技者が会員カード６３ｂの暗証番号の入力を間違えた場合、玉貸機１などに何らかのエラーが発生した場合、または玉貸機１と管理装置２との間で通信が確立されていないオフラインモードになった場合などには、会員カード６３およびビジターカード６４が通常の操作では返却されなくなる場合がある。そのような場合に、従業員がカード強制返却の操作を行う。
【００９３】
カード強制返却を行う従業員は、まず、図１１に示されるように、当該従業員が保有するメンテナンスモード用ＩＣタグ６２を、遊技者が会員カード６３またはビジターカード６４を挿入した玉貸機１の前面のＩＣタグタッチ場所２５にタッチすれば、その玉貸機１は、上述の図４のフローチャートにしたがってメンテナンスモードに移行される。
【００９４】
ついで、従業員が、払出キー３３ｄを押せば、カード強制返却の動作モードが実行される。すなわち、会員カード６３またはビジターカード６４は、カード挿入口２４から玉貸機１の外部へ排出され、強制返却される。
【００９５】
最後に、もう一度、メンテナンスモード用ＩＣタグ６２をＩＣタグタッチ場所２５にタッチすれば、メンテナンスモードを終了することができる。
＜ビジターカード補充＞
遊技者が会員カードを用いずにパチンコ遊技機および玉貸機１を利用する場合において、持ち玉を払い出して景品交換や遊技台の移動を行うときには、玉貸機１は、払出玉数の情報をビジターカード６４に書き込み、玉貸機１の外部へ排出する。遊技者は、そのビジターカード６４を用いて景品交換や遊技台の移動を行うことができる。このような会員カードを用いないいわゆるビジターの遊技者が、ビジターカード６４を用いて景品交換や遊技台の移動を頻繁に行った場合、玉貸機１に収容されたビジターカード６４が少なくなり、ビジターカード６４を玉貸機１へ補充する必要がある。
【００９６】
そこで、遊技場の従業員は、玉貸機１内部に収容されたビジターカード６４が少数になるか、または無くなったときに、ビジターカード６４の補充を行う。
【００９７】
本実施形態の玉貸機１では、ビジターカードが無くなったときには、状態表示ランプ３９を黄色に点灯させるとともに、カード状態ランプ４１を点灯させることによって、ビジターカード６４が収納されていない状態ことを遊技場内を巡回している従業員に知らせる。従業員は、以下の要領でビジターカードの補充を行う。
【００９８】
ビジターカード補充を行う従業員は、まず、図１１に示されるように、当該従業員が保有するメンテナンスモード用ＩＣタグ６２を、上記のように状態表示ランプ３９およびカード状態ランプ４１が点灯している玉貸機１の前面のＩＣタグタッチ場所２５にタッチすれば、その玉貸機１は、上述の図４のフローチャートにしたがってメンテナンスモードに移行される。
【００９９】
ついで、従業員が、預金情報の残高や持ち玉情報の持ち玉数が記憶されていない初期化された状態のビジターカード６４をカード挿入口２４から一枚ずつ挿入することにより、玉貸機１へビジターカード６４を補充する。このとき、表示パネル３７には、玉貸機１内部に収容されているビジターカード６４の枚数が表示されているので、その表示を確認しながら所定の枚数に達するまでビジターカード６４を補充すればよい。
【０１００】
最後に、もう一度、メンテナンスモード用ＩＣタグ６２をＩＣタグタッチ場所２５にタッチすれば、メンテナンスモードを終了することができる。
【０１０１】
ビジターカード６４が収納されるカード収納機構７０は、図１２〜１５に示されるように、以下のような構造になっている。
【０１０２】
カード収納機構７０は、図１２に示されるように、カード読取り書込み位置停止部（以下、カードＲＷ停止部という）７１と、ビジターカード６４を収納するカード収納部７２とを備えている。カード収納機構７０は、玉貸機１のカード挿入口２４の奥に図１２の紙面垂直方向が玉貸機１の上下方向に一致するように縦長に配置されている。
【０１０３】
カードＲＷ停止部７１は、カード挿入口２４から挿入された会員カード６３またはビジターカード６４を所定の読取りおよび書込み位置に停止させる。カードＲＷ停止部７１に停止している会員カード６３またはビジターカード６４は、カードＲＷ３１によって持ち玉情報や預金情報が読み取られ、または当該カード６３、６４へこれらの情報を書き込まれる。カードＲＷ停止部７１は、カード挿入口２４から玉貸機１の奥へ延びる案内部７３と、当該案内部７３の左右に対向して配置された複数組のローラ７４とからなる。ローラ７４は、図示しないモータによってそれぞれ正逆両方向に回転駆動される。案内部７３によって案内された会員カード６３またはビジターカード６４は、複数組のローラ７４によって所定の読取りおよび書込み位置に停止させられる。左右に対向するローラ７４に挟まれた部分には、案内部７３は一部切り欠かれているので、カード６３、６４の両側をローラ７４で挟むことができる。
【０１０４】
カード収納部７２は、蹴り出しローラ７５と、プッシュレバー７６と、押し板７７と、一対のバネ７８と、ケーシング８１とから構成されている。
【０１０５】
ケーシング８１は、案内部７３が延長された部分７３ａを一部含む。ケーシング８１には、その内部の空間部７９にビジターカード６４が出入りするためのスリット８０が形成されている。
【０１０６】
蹴り出しローラ７５は、案内部７３が延長された部分７３ａの一部切り欠かれた開口７３ｂに部分的に挿入された状態で配置されている。
【０１０７】
プッシュレバー７６は、案内部７３が延長された部分７３ａに沿って揺動自在に設けられている。プッシュレバー７６は、図示しないソレノイドにより揺動駆動される。プッシュレバー７６の先端７６ａは、案内部７３が延長された部分７３ａの開口７３ｂを通してケーシング８１の内部へ出入できるようになっている。
【０１０８】
押し板７７は、ケーシング８１の内部の空間部７９に案内部７３との距離を変更できるように移動自在に収納されている。スリット８０を通してケーシング８１の空間部７９に挿入されたビジターカード６４は、押し板７７と案内部７３が延長された部分７３ａとの間に並んで収納される。
【０１０９】
バネ７８は、押し板７７のスリット８０に近い場所と遠い場所の２箇所に配置され、押し板７７を案内部７３が延長された部分７３ａへ向けて付勢している。
【０１１０】
以上のように構成されたカード収納機構７０では、図１２に示されるように、ケーシング８１内部に収納されたビジターカード６４は、押し板７７により蹴り出しローラ７５へ向けて常に押し当てられている。
【０１１１】
ビジターカード６４をケーシング８１へ収納する場合には、まず、図１３に示されるように、プッシュレバー７６が押し板７７の方へ揺動駆動され、収納されているビジターカード６４を案内部７３が延長された部分７３ａから離れる方向へ押し込む。これにより、スリット８０付近から、収納されているビジターカード６４を離間させることができる。
【０１１２】
その後、図１３に示されるように、ローラ６４を駆動し、カードＲＷ停止部７１に停止していたビジターカード６４を、スリット８０を通してケーシング８１の内部に挿入させる。
【０１１３】
ビジターカード６４の先端がケーシング８１の内部に挿入されてプッシュレバー７６の手前まで来たとき、プッシュレバー７６による押し込み動作を解除し、バネ７８の弾性力により、ケーシング８１内部に収納されているビジターカード６４および押し板７７は案内部７３が延長された部分７３ａの方へ押し戻される。
【０１１４】
最後に、ローラ７４および蹴り出しローラ７５によってビジターカード６４をケーシング８１の奥まで搬送すれば、ビジターカード６４の収納動作が完了する。
【０１１５】
一方、図１４に示されるように、ビジターカード６４をケーシング８１から１枚繰り出す場合には、まず、蹴り出しローラ７５およびスリット８０に近いローラ７４を用いて、スリット８０から１枚のビジターカード６４をケーシング８１の外部へ搬送する。
【０１１６】
ついで、図１５に示されるように、スリット８０から出て行く途中のビジターカード６４の後端が蹴り出しローラ７５を通過する直前に、プッシュレバー７６を駆動させて２枚目以降のビジターカード６４を案内部７３が延長された部分７３ａから離れる方向へ押し込み、蹴り出しローラ７５から離間させる。これにより、２枚目のビジターカード６４が蹴り出しローラ７５によって重複して繰り出されることを防止することができる。
【０１１７】
（本実施形態の特徴）
本実施形態の玉貸機１は、遊技場内の従業員が所持するＩＣタグ６１、６２との間で通信して、当該ＩＣタグ６１、６２に保存された識別コードを入手するＩＣタグ通信部３４と、前記ＩＣタグ６１、６２の識別コードを識別する識別部５３と、複数のモードを実行可能であり、前記識別部５３で識別された前記ＩＣタグ６１、６２の識別コードに対応する所定のモードを選択して実行する制御を行うモード制御部５４を備えている。この構成によって、遊技場内の従業員が玉貸機１に対して複数のモードからあるモードを選択して実行させたいときには、従業員が所持する所定のモードに対応するＩＣタグ６１、６２をＩＣタグ通信部３４に通信可能な距離まで近づける。このとき、ＩＣタグ通信部３４はＩＣタグ６１、６２に保存された識別コードを入手することにより、モード制御部５４は複数のモードから識別部５３で識別された識別コードに対応するモードを選択して玉貸機１がそのモードで実行するように制御することができる。これにより、複数のモードを実行可能な簡易なシステムを構築することが可能になる。しかも、所定のモードに対応するＩＣタグ６１、６２をＩＣタグ通信部３４と通信させることにより、モードの切換えを容易に行うことが可能になる。
【０１１８】
例えば、本実施形態では、ワゴンサービスを担当する従業員が玉貸機１に対してワゴンサービスモードを選択して実行させたいときには、従業員がワゴンサービスモード用のＩＣタグ６１をＩＣタグ通信部３４に通信可能な距離まで近づければよい。このとき、ＩＣタグ通信部３４が当該ワゴンサービスモード用のＩＣタグ６１に保存された識別コードを入手することにより、モード制御部５４は複数のモードから識別部５３で識別された識別コードに対応するワゴンサービスモードを選択し玉貸機１がワゴンサービスモードで実行するように制御することができる。また、同様に、メンテナンスを担当するホールスタッフなどの従業員がメンテナンスモード用のＩＣタグ６２をＩＣタグ通信部３４に近づけたときには、モード制御部５４はメンテナンスモードを選択して実行を制御することができる。これにより、ワゴンサービスモードを含む複数のモードを実行可能な簡易なシステムを構築することが可能になり、しかも、所定のモードに対応するＩＣタグ６１、６２をＩＣタグ通信部３４と通信させることにより、モードの切換えを容易に行うことが可能になる。
【０１１９】
また、本実施形態の玉貸機１では、モード制御部５４がワゴンサービスモードを選択している場合に、遊技者は、入力キー３３から購入を希望する所定のワゴンサービスに対応する玉数を入力することができる。例えば、ワゴンサービスで提供されるコーヒーやタバコなどに対応する玉数をそれぞれ入力キー３３から入力すればよい。そして、玉数の入力がすべて完了した後に、ワゴンサービスモード用のＩＣタグ６１をＩＣタグ通信部３４に近づけて通信して、識別部５３が当該ＩＣタグ６１の識別コードを識別したとき、持玉引落部５２は、持ち玉情報に対応する玉数から入力キー３３で入力された玉数を減らして引落し処理を行う。これにより、持玉管理部５１に管理された持ち玉情報からワゴンサービスで使用した玉数を引き落とす処理をワゴンサービス用ＩＣタグ６１をＩＣタグ通信部３４と通信させるだけで一括して行うことができるので、引落し処理を簡易かつ確実に行うことができる。
【０１２０】
さらに、本実施形態の玉貸機１では、ワゴンサービスモードにおけるワゴンサービスに関する情報は、引落し処理後に送信部３８によって玉貸機１から管理装置２へ送信される。これにより、ワゴンサービスに関する情報を管理装置２へ送信する動作を一括して行うことができるので、ワゴンサービスに関する情報の送信を短時間で確実に行うことができる。
【０１２１】
さらに、本実施形態の玉貸機１では、モード制御部５４がワゴンサービスモード以外のモードとして、遊技場内の従業員の認証が必要な操作を含むメンテナンスモードを選択している場合に、メンテナンスモード用のＩＣタグ６２を用いてモード切り換えを容易に行うことができる。例えば、メンテナンスモード用のＩＣタグ６２をＩＣタグ通信部３４に通信可能な距離まで近づけたときに、ＩＣタグ通信部３４が当該メンテナンスモード用のＩＣタグ６２に保存された識別コードを入手することにより、モード制御部５４は複数のモードから識別部５３で識別された識別コードに対応するメンテナンスモードを選択して実行を制御することができる。そして、メンテナンスモードの操作を終了後にＩＣタグ通信部３４がメンテナンスモード用のＩＣタグ６２と通信して、識別部５３が識別コードを識別したときに、モード制御部５４によってメンテナンスモードが解除されて、通常動作に復帰することができる。
【０１２２】
また、本実施形態に係わるサービス提供システム１００は、本実施形態の玉貸機１と、当該玉貸機１に実行させる所定のモードにそれぞれ対応する識別コードを記憶する複数のＩＣタグ６１、６２とを備えている。この構成よれば、玉貸機１に実行させる所定のモードにそれぞれ対応する識別コードを記憶する複数のＩＣタグ６１、６２があり、遊技場の従業員は、目的に応じて所定のモード用のＩＣタグ６１、６２を少なくとも１個所持することができる。従業員が玉貸機１に対して複数のモードからあるモードを選択して実行させたいときには、従業員が所持する所定のモードに対応するＩＣタグ６１、６２をＩＣタグ通信部３４に通信可能な距離まで近づければよい。このとき、ＩＣタグ通信部３４はＩＣタグ６１、６２に保存された識別コードを入手することにより、モード制御部５４は複数のモードから識別部５３で識別された識別コードに対応するモードを選択して玉貸機１がそのモードで実行するように制御することができる。これにより、複数のモードを実行可能な簡易なシステムを構築することが可能になる。しかも、所定のモードに対応するＩＣタグ６１、６２をＩＣタグ通信部３４と通信させることにより、モードの切換えを容易に行うことが可能になる。
【０１２３】
また、それぞれのＩＣタグ６１、６２は玉貸機１に対して所定のモードのみを実行させるトリガにすぎず、他のモードを実行させることができない。したがって、従業員はそれぞれの業務担当に応じたモードに対応するＩＣタグ６１、６２を所持すれば、遊技場側のＩＣタグ６１、６２の管理が容易になり、不正使用を防止することができる。例えば、ワゴンサービス担当の従業員はワゴンサービスモード用のＩＣタグ６１を所持し、玉貸機１のメンテナンスを行うホールスタッフなどの従業員はメンテナンスモード用のＩＣタグ６２を所持するように、ＩＣタグ６１、６２を用途に応じて個別のスタッフが所持するようにすれば、ＩＣタグ６１、６２の不正使用を防止できる。
【０１２４】
さらに、本実施形態のサービス提供システム１００は、ワゴンサービスモードを実行可能な玉貸機１を含むシステムにおいて、ワゴンサービスモードを含む複数のモードを実行可能な簡易なシステムを構築することが可能になり、しかも、所定のモードに対応するＩＣタグ６１、６２をＩＣタグ通信部３４と通信させることにより、モードの切換えを容易に行うことが可能になる。また、それぞれの玉貸機１において実行されたワゴンサービスモードにおけるワゴンサービスに関する情報は、引落し処理後に送信部３８によって玉貸機１から管理装置２へ送信され、ワゴンサービスに関する情報を管理装置２へ送信する動作を一括して行うことができるので、ワゴンサービスに関する情報の送信を短時間で確実に行うことができる。さらに、玉貸機１に通信可能に接続された管理装置２において、複数の玉貸機１のワゴンサービスに関する情報を一括して管理することができる。
【０１２５】
（本実施形態の変形例）
上記の実施形態では、本発明の遊技媒体貸出機の一例として、玉貸機１を例にあげて説明したが、本発明はこれに限定されるものではなく、遊技媒体の一例としてのメダルを貸し出すメダル貸機７についても本発明を適用することが可能である。その場合も、メダル貸機７が、上記実施形態と同様に、ＩＣタグとの間で通信して当該ＩＣタグに保存された識別コードを入手するＩＣタグ通信部３４と、前記ＩＣタグの識別コードを識別する識別部５３と、複数のモードを実行可能であり、前記識別部５３で識別された前記ＩＣタグの識別コードに対応する所定のモードを選択して実行する制御を行うモード制御部５４を備えていれば、複数のモードを実行可能な簡易なシステムを構築することができる。しかも、所定のモードに対応するＩＣタグを通信手段と通信させることにより、モードの切換えを容易に行うことができる。
【０１２６】
また、上記実施形態では、メンテナンスモードとして、ホールスタッフなどの遊技場内の従業者が玉貸機１を操作する動作モード（休憩モード開始など）を例にあげて説明したが、本発明はこれに限定されるものではなく、遊技場内の従業員の認証が必要な操作を含む種々のメンテナンスモードに適用することが可能である。例えば、その他のメンテナンスモードとして、遊技場の管理をする管理者が玉貸機１の紙幣貯留用の金庫に貯められた紙幣を取り出すために、管理者が所持する金庫開閉用のＩＣタグを用いて金庫を解錠する動作モードも、本発明のメンテナンスモードに含まれるものである。この場合、ホールスタッフやワゴンサービスのスタッフが所持するＩＣタグでは玉貸機１の金庫を解錠できないが、管理者が所持する金庫開閉用のＩＣタグのみで金庫を解錠することができる。これにより、簡易なシステムでセキュリティーの向上を図ることができる。
【符号の説明】
【０１２７】
１  玉貸機（遊技媒体貸出機）
２  管理装置
３３  入力キー
３４  ＩＣタグ通信部
３７  表示パネル
３８  送信部
５０  制御コンピュータ
５１  持玉管理部
５２  持玉引落部
５３  識別部
５４  モード制御部（制御手段）
５５ａ  モード選択部
５５ｂ  モード実行部
６１  ワゴンサービス用ＩＣタグ
６２  メンテナンスモード用ＩＣタグ
【図１】
2012071053.tif 000003
【図２】
2012071053.tif 000004
【図３】
2012071053.tif 000005
【図４】
2012071053.tif 000006
【図５】
2012071053.tif 000007
【図６】
2012071053.tif 000008
【図７】
2012071053.tif 000009
【図８】
2012071053.tif 000010
【図９】
2012071053.tif 000011
【図１０】
2012071053.tif 000012
【図１１】
2012071053.tif 000013
【図１２】
2012071053.tif 000014
【図１３】
2012071053.tif 000015
【図１４】
2012071053.tif 000016
【図１５】
2012071053.tif 000017